(57)【要約】【課題】  表示装置において、装置本体の設置状態に応じて、方向性のある画像を、スクリーンに正規方向に投影するとともに、その画像に関係した方向性のある視覚情報を装置上で適切な方向に表示できるようにする。【解決手段】  プロジェクタ１を、投影画像データ１００Ａに基づいて表示画像データ１００Ｂを表示するＤＭＤ７ａと、ＤＭＤ７ａに表示された画像をスクリーンに投影する投影レンズ２と、スクリーンに投影表示する画像に関する、方向性を備えたモニタ画像データ１０１Ａに基づいてモニタ表示画像データ１０１Ｂを表示するモニタ３と、表示画像データ１００Ｂ、モニタ表示画像データ１０１Ｂの表示制御を行う表示制御手段６とを有する構成とし、表示画像データ１００Ｂの表示方向と、モニタ表示画像データ１０１Ｂの表示方向とを連動して制御するようにした。【選択図】      図３
2006267181.tif 000002
【特許請求の範囲】
【請求項１】
スクリーンに画像を投影する表示装置であって、
入力された画像情報に応じた画像を表示する投影表示デバイスと、
該投影表示デバイスに表示された画像をスクリーンに投影する投影光学手段と、
前記スクリーンに投影表示する画像に関する、方向性を備えた視覚情報を表示するモニタデバイスと、
前記投影表示デバイスに表示する画像と前記モニタデバイスに表示する視覚情報との表示制御を行う表示制御手段とを有し、
該表示制御手段は、前記投影表示デバイスが表示する画像の表示方向と、前記モニタデバイスが表示する視覚情報の表示方向とを連動して制御することを特徴とする表示装置。
【請求項２】
前記投影表示デバイスに表示する画像の画像情報を記憶する画像情報記憶手段を備え、
前記表示制御手段が、
前記画像情報記憶手段に記憶された画像情報に基づいた画像の表示方向を制御することを特徴とした請求項１に記載の表示装置。
【請求項３】
前記モニタデバイスに表示する前記視覚情報を記憶する視覚情報記憶手段を備え、
前記表示制御手段が、前記視覚情報記憶手段に記憶された視覚情報の表示方向を制御することを特徴とした請求項１または２に記載の表示装置。
【請求項４】
載置面上に載置可能に設けられた複数の筐体面を有し、該複数の筐体面のいずれかに少なくとも前記モニタデバイスを固定して保持するとともに、該モニタデバイスとの相対位置を固定して前記投影表示デバイスを保持する筐体と、
前記複数の筐体面のうち、載置面に対向された筐体面を検出する検出手段とを備え、
前記表示制御手段が、前記検出手段の検出結果に応じて、前記投影表示デバイスが表示する画像の表示方向と、前記モニタデバイスが表示する視覚情報の表示方向とを連動して制御することを特徴とする請求項１〜３のいずれかに記載の表示装置。
【請求項５】
前記表示制御手段が、
前記検出手段によるすべての検出結果に対応して前記投影表示デバイスが表示する画像の表示方向と前記モニタデバイスが表示する視覚情報の表示方向とが設定された表示方向連動条件を、読み出し可能に記憶する連動条件記憶手段を備えることを特徴とする請求項４に記載の表示装置。
【請求項６】
前記連動条件記憶手段が、複数の使用モードに応じて複数の前記表示方向連動条件を、それぞれ表データとして記憶するとともに、
前記表示制御手段が、前記複数の使用モードのそれぞれに応じて、前記複数種類の表示方向連動条件のうちの１つを選択する使用モード選択手段を備えることを特徴とする請求項５に記載の表示装置。
【発明の詳細な説明】
【技術分野】
【０００１】
本発明は、表示装置に関する。例えば、方向性を有する画像を投影表示するとともに、その画像に関する視覚情報をモニタなどの画面に表示できるようにした表示装置に関する。
【背景技術】
【０００２】
従来、画像をスクリーンなどに投影して表示するプロジェクタなどの表示装置において、投影画像や、投影操作のための操作情報などを、例えば装置の操作者などが装置本体上の表示画面で見ることができるようにしたものが提案されている。
例えば、特許文献１には、プロジェクター装置本体またはリモコンなどの付属機器に、入力画像投影機に関する情報を表示する、視認可能な補助表示装置を設けたプロジェクター装置が記載されている。補助表示装置に表示する情報としては、プロジェクター装置の状態を表示する状態表示や、警告内容を表示する警告表示が挙げられている。
状態表示としては、例えば、光源ランプ故障、光源ランプ脱落、光源ランプ室カバー脱落、電源ＯＦＦ直後に電源ＯＮ操作、空冷ＦＡＮ停止、基板その他内部の異常、および電源電圧異常が挙げられている。また警告表示としては、内部温度異常、映像信号異常または未入力、レンズキャップ閉、ランプ交換時期近し、輝度調整オーバー／アンダー、レンズ脱落、オートフォーカス異常、およびリモコン信号異常が挙げられている。
また、特許文献２には、通常のビデオプロジェクタとして使用できるとともに、ケースに配設したモニタスクリーンに投影して明視下で見ることができるモニタとしても使用でき、かつこれらを切換えることができるモニタ画面付きビデオプロジェクタが記載されている。
また、特許文献３には、液晶プロジェクタから投影するプレゼンテーション用画面と、コンピュータのモニタに画像を表示するプレゼンタ用画面とを有する画像表示システムが記載されている。
【特許文献１】特開２００３−２８００８８号公報（第３−４頁、図１−２）
【特許文献２】特開平５−２０７４０５号公報（第３−６頁、図１、２、８、１２）
【特許文献３】特開平１０−３３３８７０号公報（第３−４頁、図１）
【発明の開示】
【発明が解決しようとする課題】
【０００３】
しかしながら、上記のような従来の表示装置には、以下のような問題があった。
特許文献１に記載の技術では、リモコンに補助表示装置を設ける場合には、操作者・観察者が見やすい位置にリモコンをおいて、補助表示装置の画像を見ることができるものの、プロジェクター装置本体に設けられた補助表示装置はプロジェクター装置に固定されているため、補助表示装置の画像を無理なく見るために操作者が補助表示装置に対して適切な位置に移動する必要がある。そのため、操作者の位置が固定され、プロジェクター装置の配置位置、配置姿勢によっては、操作がしにくくなるという問題がある。
また、特許文献２に記載の技術では、投影する画像をモニタスクリーンで同時に確認できるものの、投影方向とモニタスクリーンとの位置関係が固定されているため、例えばモニタスクリーンを見やすいように配置すると、投影される画像の投影方向や投影位置が変ってしまうという問題がある。投影する画像やモニタスクリーンに表示する操作情報などは、いずれも方向性を有するので、例えば、大勢の前で投影する場合や少人数の前で話をしながら投影する場合などの使用状況に応じて、説明者の位置を変えようとすると、モニタスクリーンの画像が見にくくなってしまうという問題がある。
また、特許文献３に記載の技術では、コンピュータのモニタ上の画像をプレゼンテーション用画面に投影したり、プレゼンテーション用画面とは別の画像をプレゼンタ用画面に表示したりすることができ、しかもそれぞれの画面が別体とされているので、プレゼンタ用画面を多目的に利用できるとともに操作者の位置が自由で操作性に優れたプレゼンテーション用の表示装置を構成することができるものの、コンピュータと液晶プロジェクタとを通信回線で接続するので、小型化が難しく、持ち運びや組立設置が不便であるという問題がある。
【０００４】
本発明は、上記のような問題に鑑みてなされたものであり、装置本体の設置状態に応じて、方向性のある画像を、スクリーンに正規方向に投影するとともに、その画像に関係した方向性のある視覚情報を装置上のモニタデバイスで適切な方向に表示できる表示装置を提供することを目的とする。
【課題を解決するための手段】
【０００５】
上記の課題を解決するために、請求項１に記載の発明では、スクリーンに画像を投影する表示装置であって、入力された画像情報に応じた画像を表示する投影表示デバイスと、該投影表示デバイスに表示された画像をスクリーンに投影する投影光学手段と、前記スクリーンに投影表示する画像に関する、方向性を備えた視覚情報を表示するモニタデバイスと、前記投影表示デバイスに表示する画像と前記モニタデバイスに表示する視覚情報との表示制御を行う表示制御手段とを有し、該表示制御手段は、前記投影表示デバイスが表示する画像の表示方向と、前記モニタデバイスが表示する視覚情報の表示方向とを連動して制御する構成とする。
この発明によれば、入力された画像情報に応じた画像を投影表示デバイスに表示し、その画像を投影光学手段によりスクリーンに投影することができるとともに、装置に設けられたモニタデバイスにスクリーンに投影表示された画像に関する方向性を備えた視覚情報を表示することができる。そして、表示制御手段により、投影表示デバイスに表示する画像の表示方向とモニタデバイスが表示する視覚情報の表示方向とを連動して制御することができる。そのため、表示制御手段により、表示装置の配置姿勢に応じて、スクリーンに投影する画像の向きが正規の表示方向となるように投影表示デバイスの画像の表示方向を変えるとともに、それと連動して視覚情報の表示方向を適切な方向に変更することができる。
【０００６】
請求項２に記載の発明では、請求項１に記載の表示装置において、前記投影表示デバイスに表示する画像の画像情報を記憶する画像情報記憶手段を備え、前記表示制御手段が、前記画像情報記憶手段に記憶された画像情報に基づいた画像の表示方向を制御する構成とする。
この発明によれば、画像情報記憶手段により投影表示デバイスに表示する画像を画像情報として記憶し、その画像情報に基づいた画像の表示方向を表示制御手段により制御するので、表示方向の制御演算が容易となり、また表示方向を変更する場合も画像情報の再入力などの手間が不要となる。そのため、表示方向の制御を迅速に行うことができる。
【０００７】
請求項３に記載の発明では、請求項１または２に記載の表示装置において、前記表示制御手段が、前記視覚情報記憶手段に記憶された視覚情報の表示方向を制御する構成とする。
この発明によれば、視覚情報記憶手段によりモニタデバイスに表示する視覚情報を記憶し、その視覚情報の表示方向を表示制御手段により制御するので、表示方向の制御演算が容易となり、また表示方向を変更する場合も視覚情報の再入力などの手間が不要となる。そのため、表示方向の制御を迅速に行うことができる。
【０００８】
請求項４に記載の発明では、請求項１〜３のいずれかに記載の表示装置において、載置面上に載置可能に設けられた複数の筐体面を有し、該複数の筐体面のいずれかに少なくとも前記モニタデバイスを固定して保持するとともに、該モニタデバイスとの相対位置を固定して前記投影表示デバイスを保持する筐体と、前記複数の筐体面のうち、載置面に対向された筐体面を検出する検出手段とを備え、前記表示制御手段が、前記検出手段の検出結果に応じて、前記投影表示デバイスが表示する画像の表示方向と、前記モニタデバイスが表示する視覚情報の表示方向とを連動して制御する構成とする。
この発明によれば、検出手段により載置面と対向する筐体面を検出することができるので、筐体面に固定されたモニタデバイスおよびモニタデバイスとの相対位置が固定された投影表示デバイスの、検出された筐体面に対する位置関係が検出できる。そのため、検出手段の検出結果に応じて、投影表示デバイスが表示する画像の表示方向と、モニタデバイスが表示する視覚情報の表示方向とを連動して制御することにより、載置面に対する位置関係に合わせてそれぞれの表示方向の位置関係を制御することができる。
【０００９】
請求項５に記載の発明では、請求項４に記載の表示装置において、前記表示制御手段が、前記検出手段によるすべての検出結果に対応して前記投影表示デバイスが表示する画像の表示方向と前記モニタデバイスが表示する視覚情報の表示方向とが設定された表示方向連動条件を、読み出し可能に記憶する連動条件記憶手段を備える構成とする。
この発明によれば、検出手段によるすべての検出結果に対応した表示方向連動条件が、連動条件記憶手段により読み出し可能に記憶されているので、検出結果が得られると直ちに表示方向連動条件を設定することができる。そのため、表示方向の制御を容易かつ迅速に行うことができる。
【００１０】
請求項６に記載の発明では、請求項５に記載の表示装置において、前記連動条件記憶手段が、複数の使用モードに応じて複数の前記表示方向連動条件を、それぞれ表データとして記憶するとともに、前記表示制御手段が、前記複数の使用モードのそれぞれに応じて、前記複数種類の表示方向連動条件のうちの１つを選択する使用モード選択手段を備える構成とする。
この発明によれば、連動条件記憶手段により複数の表示方向連動条件が表データとして記憶され、使用モード選択手段により、複数の使用モードのそれぞれに応じて、それら表示方向連動条件のうちの１つが選択されるので、複数の使用モードに応じた適切な表示方向連動条件を容易に設定することができる。
ここで、使用モードは、モニタデバイスを観察する必要のある表示装置の操作者もしくは操作者以外の観察者の表示装置に対する相対的な位置関係に基づいて設けることが好ましい。
【発明の効果】
【００１１】
本発明の表示装置によれば、投影表示デバイスに表示する画像の表示方向とモニタデバイスが表示する視覚情報の表示方向とを連動して制御することができ、表示装置の配置姿勢に応じてスクリーンに投影する画像の向きが正規の表示方向となるように投影表示デバイスの画像の表示方向を制御し、それと連動して視覚情報の表示方向を適切な方向に制御することができるので、装置の配置姿勢に寄らずモニタデバイスに表示される視覚情報が見やすくなり、操作性を向上することができるという効果を奏する。
【発明を実施するための最良の形態】
【００１２】
以下では、本発明の実施の形態について添付図面を参照して説明する。すべての図面において、実施形態が異なる場合であっても、同一または相当する部材には同一の符号を付し、共通する説明は省略する。
本発明の実施形態に係る表示装置について説明する。
図１は、本発明の実施形態に係る表示装置の使用状態の一例について説明するための模式的な斜視説明図である。図２は、本発明の実施形態に係る表示装置の概略構成について説明するための斜視説明図である。図３は、本発明の実施形態に係る表示装置の概略構成について説明するための機能ブロック図である。図４は、本発明の実施形態に係る表示装置に用いる表示制御手段について説明するための機能ブロック図である。図５（ａ）は、本発明の実施形態に係る表示装置の配置位置の一例について説明するための平面説明図である。図５（ｂ）、（ｃ）は、図５（ａ）に対応する投影表示デバイスの画像の表示方向、モニタデバイスの視覚情報の表示方向について説明するための模式説明図である。
【００１３】
本実施形態のプロジェクタ１（表示装置）は、図１に示すように、例えば机２２の上面などの載置面２２ａに配置して、適宜方向に設けられたスクリーン２３上に画像２４を投影表示するとともに、モニタ３上にモニタ表示画像２５を表示できるようにした装置である。
図１は、プロジェクタ１の使用方法の一例を示している。プロジェクタ１は、そのまわりに、プロジェクタ１の操作を行う操作者２７と、画像２４を観察する観察者２６とが集まり、資料画像を投影表示して、例えばプレゼンテーションや会議を行う、といった用途に用いることができる。
【００１４】
画像２４は、静止画、動画、文字情報などどのような画像であってもよい。これらの画像は、一般には方向性を有し、スクリーン２３に表示したときの正規の表示方向が暗黙のうちに決まっている。図１には、画像２４の一例として、直立する木と地面に立設された高層ビルの画像およびそれを説明するための文字情報である「木」、「高層ビル」から構成されたものを示した。これらの画像は、画像、文字の上下とスクリーン２３の上下とが一致して、正立画像と認識される表示方向が正規の表示方向とされる。
【００１５】
プロジェクタ１の概略構成は、図２に示すように、上面４ａ、左面４ｂ、底面４ｃ、右面４ｄ、前面４ｅ、後面４ｆを筐体面として有する略直方体状の筐体４に覆われており、上面４ａ、前面４ｅ、左面４ｂに、それぞれに対応してモニタ３（モニタデバイス）、投影レンズ２（投影光学手段）、操作パネル２１が設けられている。そして、プロジェクタ１の内部には、方向検出センサ５（検出手段）、投影表示部７（図３参照）、表示制御手段６（図３参照）が設けられている。
【００１６】
各筐体面は、前面４ｅを除いて、適宜の平面上に載置可能な形態を有している。例えば、筐体面が平面から構成されたり、突起部を有するとしても筐体面より突出しない内側に設けられていたりする。また、特に図示しないが、筐体面に突起部を有し、その突起部よりもさらに突出して筐体面を載置面上に安定して着地させることができる脚状の部材などが設けられていてもよい。
【００１７】
以下、方向の参照の便宜のために、図２に示すようなプロジェクタ１に固定された右手系のＸＹＺ直角座標系を用いることにする。上面４ａ、底面４ｃはＸＹ平面に平行で、左面４ｂ、右面４ｄがＹＺ平面に平行で、前面４ｅ、後面４ｆがＺＸ平面に平行に配置されている。
投影レンズ２は、載置面２２ａに水平に配置したときに載置面２２ａよりも上方にスクリーン２３を設けることができるように投影方向を調節できるようにしてもよいし、底面４ｃに投影方向を調整するための調整脚部を備えるようにしてもよいが、以下では説明を簡潔にするために、投影方向がＹ軸正方向に一致した方向に設定されているものとして説明する。
【００１８】
モニタ３は、図４に示すように、表面側から、タッチパネル部３ａ、モニタ表示部３ｂが順次厚さ方向に配置されてなる。
タッチパネル部３ａは、指などで触れた場所の位置座標を検出できる透明電極からなる位置検出手段である。
モニタ表示部３ｂは、画像２４に関する、方向性のある視覚情報であるモニタ表示画像２５を表示するための、矩形状の表示画面を有する表示デバイスであり、例えば液晶ディスプレイや有機ＥＬディスプレイなどを採用することができる。
モニタ表示部３ｂは、長辺方向、短辺方向にそれぞれ独立に駆動可能な複数の画素が例えば６４０×４００の格子状に配列されている。そして、長辺方向、短辺方向はそれぞれ図２のＸ軸方向、Ｙ軸方向に一致するように配置されている。
【００１９】
モニタ表示画像２５は、図１では、方向性を有することを模式的に表すために文字「ＡＢＣ」としているが、表示制御手段６から送出されるモニタ表示画像データ１０１Ｂ（図３、４参照）に応じて表示されるもので、具体的には以下に例示する画像あるいはそれらを重ね合わせた画像からなる。
例えば、画像２４の色調、コントラスト、画像２４の歪み補正値などの画像処理における様々な設定情報を、文字、記号、図形、アイコンなどで表した画像を挙げることができる。
また、それら設定情報の操作入力を、タッチパネル部３ａを介して行うための操作入力用のシンボル、例えばボタン、スイッチ、レバーなどの画像を所定位置に表示した画像を挙げることができる。このシンボルによって設定する情報としては、例えば、ピント調整量、ズーム倍率などのメカ機構の設定や、外部入力ビデオ信号の信号種類などの電気的設定がある。これらの画像が押されたことがタッチパネル部３ａにより検出されると、その機能に応じた操作入力信号１０３（図４参照）が表示制御手段６に送出されるようになっている。
また、画像２４に相当する画像を表示する場合の画像自体や、画像２４として投影するための画像を選択するために、複数の画像を一覧表示するサムネイル画像なども挙げることができる。
【００２０】
方向検出センサ５は、載置面２２ａに対向する位置に配置された筐体面を検出し、検出信号１０２を生成するセンサである。検出の仕方は、筐体面に載置面２２ａに対向する位置にあることを直接検出してもよいし、間接的に検出してもよい。
本実施形態では、後者の場合の例であり、方向検出センサ５として、重力方向を３次元的に検出する加速度センサを筐体４内に固定して設ける構成とした。
本実施形態では、載置面が一般に略水平であり、重力方向にある筐体面を載置面と対向する面と見なせることを利用している。
方向検出センサ５は、筐体４に固定した座標系に対して重力方向を算出することができるので、重力方向と各筐体面の外側に向かう法線方向とのなす角を演算して、それが０°に最も近い面を載置面２２ａに対向する筐体面と判定し、筐体面に対応した検出信号１０２を検出結果として返すことができるものである。０°に近い角度が検出されない場合は、載置状態にないとして検出不能エラーの信号を生成する。
なお、方向検出センサ５が重力方向の３次元的な傾斜角度のみを出力する場合には、適宜の演算手段を用いてその出力を演算することにより、載置面２２ａに対向する筐体面の検出して、検出信号１０２を出力する構成としてもよい。そのような演算手段として、例えば全体制御を行うＣＰＵを有する場合にはＣＰＵを採用することができる。
【００２１】
投影表示部７は、表示制御手段６から送出される表示画像データ１００Ｂ（画像情報）に応じた画像を表示するためのもので、本実施形態では、投影表示デバイスであるデジタルマイクロミラーデバイス（Digital Micromirror Device、以下ＤＭＤと略称する）７ａと光源７ｂとからなる。
ＤＭＤ７ａは、平面視において長方形形状のデバイス面内に、画素を形成する複数の微小ミラー（不図示）が、例えば８００×６００などの格子状に配置され、それぞれの微小ミラーが、表示画像データ１００Ｂに応じて、表示光を形成するオン状態と非表示光を形成するオフ状態との２種類の角度に傾斜可能とされている。
光源７ｂは、ＤＭＤ７ａに所定方向から略平行な照明光を照射して、オン状態の微小ミラーで反射された光のみを投影レンズ２に入射せしめるように設けられている。
すなわち、投影表示部７には、ＤＭＤ７ａの各微小ミラーを画素として、オン状態の微小ミラーが明部を、オフ状態の微小ミラーが暗部を構成する画像を表示できるようになっている。
例えば、図５（ｂ）に示すように、デバイス表示画像２８が表示される。
【００２２】
投影レンズ２は、ＤＭＤ７ａの微小ミラーで反射された光をスクリーン２３に投影するための投影光学系であり、適宜のレンズまたはレンズ群から構成される。
【００２３】
操作パネル２１は、タッチパネル部３ａを介することなく、直接操作入力するための機構であり、適宜のボタン、レバー、ボリュームなどが設けられている。それらが操作されると、それぞれの機能に応じた操作入力信号１０３が送出される（図４参照）。
入力項目はタッチパネル部３ａと共通でもよいし、異なっていてもよい。
操作パネル２１による操作入力は、必要に応じてモニタ表示画像２５として表示される。
【００２４】
ここで、モニタ３とＤＭＤ７ａとの位置関係について説明する。
モニタ３の各画素は、図５（ｃ）に示すように、長辺側をｘ２軸、短辺側をｙ２軸とするｘ２ｙ２直角座標系により位置が指定されており、ｙ２軸が投影方向であるＹ軸方向に略一致され、ｘ２軸がＸ軸方向に略一致されている。
ＤＭＤ７ａの各画素は、図５（ｂ）に示すように、長辺側をｘ１軸、短辺側をｙ１軸とするｘ１ｙ１直角座標系により位置が指定されている。そして、図１のようにＺ軸負方向が重力方向に一致するように配置したとき、ｙ１軸、ｘ１軸がそれぞれスクリーン２３の上下方向、左右方向に略一致するように配置されている。すなわち、図５（ｂ）におけるデバイス表示画像２８が、図１の画像２４のような向きに投影されるようになっている。
そして、本実施形態では、表示方向を変更しない場合に、上下左右の方向性を有する画像データが、ＤＭＤ７ａ、モニタ３のそれぞれの正規の表示方向に表示されるようになっている。すなわち、ｙ１軸、ｙ２軸の正負方向と画像データの上下方向とが一致し、ｘ１軸、ｘ２軸の正負方向と画像データの右左方向とが一致するように表示されるものとする。
【００２５】
表示制御手段６は、投影表示部７、モニタ３に、それぞれ表示画像データ１００Ｂ、モニタ表示画像データ１０１Ｂを送出して、デバイス表示画像２８、モニタ表示画像２５を表示するためのものである。その概略構成は、図３に示すように、投影画像生成部１１、投影画像回転処理部８、モニタ画像生成部１２、モニタ画像回転処理部１０、および連係制御部９からなる。
【００２６】
投影画像生成部１１は、装置内部または外部にある記録部（不図示）からデバイス表示画像２８に対応する画像情報を読み取り、その画像情報の上下方向、左右方向を保存した状態で、ＤＭＤ７ａの表示画素構成に対応した投影画像データ１００Ａを生成するものである。
例えば、元の画像情報が、圧縮データの場合、圧縮方法に応じて復元し、ＤＭＤ７ａの画素構成に応じて、例えば８００×６００などのビットマップデータとして投影画像データ１００Ａを生成する。
また、元の画像情報が未圧縮のビットマップデータの場合、単に画素数を合わせるためにデータの間引きや補間を行って投影画像データ１００Ａを生成する。
また、元の画像情報がキャラクタデータの場合、ＤＭＤ７ａの画素構成に合わせたビットマップデータに展開して、投影画像データ１００Ａを生成する。
【００２７】
また、投影画像生成部１１は、記録部だけでなく、外部入力、例えばビデオ信号入力などが可能とされていてもよい。
【００２８】
投影画像回転処理部８は、連係制御部９から送出される制御信号１０４に基づいて、投影画像データ１００Ａの表示方向を可変し、表示画像データ１００Ｂを生成し、投影表示部７に送出するものである。すなわち、ｘ１ｙ１直角座標系上での回転処理を行って表示画像データ１００Ｂを生成する。この場合、ＤＭＤ７ａのデバイス面が矩形であるため、回転しても画像が失われないように、画面サイズを調整する縮小処理が行われる。
表示画像データ１００Ｂは、投影表示部７に送出される。
【００２９】
モニタ画像生成部１２は、装置内部または外部にある記録部（不図示）からモニタ表示画像２５に対応する視覚情報を読み取り、その視覚情報の上下方向、左右方向を保存した状態で、モニタ３の表示画素構成に対応したモニタ画像データ１０１Ａを生成するものである。
例えば、元の視覚情報が、圧縮データの場合、圧縮方法に応じて復元し、モニタ３の画素構成に応じて、例えば６４０×４００などのビットマップデータとしてモニタ画像データ１０１Ａを生成する。
また、元の視覚情報が未圧縮のビットマップデータの場合、単に画素数を合わせるためにデータの間引きや補間を行ってモニタ画像データ１０１Ａを生成する。
また、元の画像情報がキャラクタデータの場合、モニタ３の画素構成に合わせたビットマップデータに展開して、モニタ画像データ１０１Ａを生成する。
【００３０】
また、モニタ画像生成部１２は、記録部だけでなく、外部入力、例えばビデオ信号入力などが可能とされていてもよい。また、投影画像生成部１１を画像情報源として、モニタ画像データ１０１Ａを生成してもよい。
【００３１】
モニタ画像回転処理部１０は、連係制御部９から送出される制御信号１０５に基づいて、モニタ画像データ１０１Ａの表示方向を可変し、モニタ表示画像データ１０１Ｂを生成し、モニタ３に送出するものである。すなわち、ｘ２ｙ２直角座標系上での回転処理を行ってモニタ表示画像データ１０１Ｂを生成する。この場合、モニタ３の表示画面が矩形であるため、回転しても画像が失われないように、画面サイズを調整する縮小処理が行われる。
【００３２】
連係制御部９は、方向検出センサ５、投影画像回転処理部８、モニタ画像回転処理部１０と接続され、方向検出センサ５の検出結果に応じて、投影画像回転処理部８、モニタ画像回転処理部１０にそれぞれ制御信号１０４、１０５を送出して、モニタ表示画像２５、デバイス表示画像２８の表示方向を連動して制御するものである。
【００３３】
表示制御手段６は、上記に説明した投影画像生成部１１、投影画像回転処理部８、モニタ画像生成部１２、モニタ画像回転処理部１０、および投影画像回転処理部８の各機能ブロックにそれぞれに対応するハードウェアを設けて構成してもよいが、コンピュータ制御により、各機能ブロックの機能を実現してもよい。以下、後者の構成の場合に即して上記に説明していない点を中心に説明する。
【００３４】
このような表示制御手段６、図４に示すように、全体制御を行うＣＰＵ１７がバス２９によりＲＯＭ１８、ＲＡＭ１９、その他のハードウェアと接続された構成により実現できる。
ＲＯＭ１８は、ＣＰＵ１７により全体制御を行うための各種の制御パラメータや制御プログラムを記憶するための記憶手段である。ＲＡＭ１９は、それらの制御パラメータや制御プログラムを適宜ロードするためのメモリである。
バス２９には、投影画像回転処理部８、モニタ画像回転処理部１０、投影画像切替部１３、外部信号入力部１４、メモリカード読取部２０、操作パネル２１、モニタ画像メモリ１６（視覚情報記憶手段）が接続され、バス２９を通して、ＣＰＵ１７の制御信号や画像データなどを送受信できるようになっている。
【００３５】
外部信号入力部１４、メモリカード読取部２０、投影画像切替部１３、投影画像メモリ１５（画像情報記憶手段）は、図３の投影画像生成部１１を構成するためのものである。
外部信号入力部１４は、外部から画像情報を入力するためのインターフェースであり、入力信号がビデオ信号であれば画像データに変換し、画像データ１００ｂとして投影画像切替部１３に導く。また入力信号が圧縮されていてデータ復元などの信号処理が必要な画像データ１００ａの場合には、不図示のバッファメモリなどを介してバス２９に伝送し、ＲＡＭ１９に記憶する。そしてＣＰＵ１７により必要な演算処理を施すことができるようにする。
【００３６】
メモリカード読取部２０は、画像データを着脱可能な記憶媒体であるメモリカードから読み取るためのインターフェースである。メモリカードは、例えば、デジタルカメラやカメラ付携帯電話などにより撮像された画像データをＪＰＥＧ圧縮などしてメモリチップに記録したものである。
そして、メモリカード読取部２０に設けられた不図示の挿入口に挿入することにより電気的な接続が可能となり、ＣＰＵ１７の制御により、画像データ１００ｃが読み出され、バス２９を介してＲＡＭ１９に記憶できるようになっている。
画像データ１００ｃは、ＣＰＵ１７により、ビットマップ上の画像データとして、データ中に含まれるファイル名情報などの属性情報とともに復元され、属性情報付きのファイルとしてＲＡＭ１９に記憶されるようになっている。
【００３７】
投影画像切替部１３は、バス２９を介してＣＰＵ１７から送出される画像切替信号１０６に応じて、投影画像データ１００Ａとして投影画像メモリ１５に送出する画像データを切り替えるものである。
ＣＰＵ１７が送出する画像切替信号１０６は、操作者２７がタッチパネル部３ａや操作パネル２１などから操作入力により生成される。
切り替え可能な画像データとしては、外部信号入力部１４から入力される画像データ１００ｂと、バス２９から供給される画像データ１００ｄとがある。
画像データ１００ｄは、画像データ１００ａを復元したビットマップデータや、メモリカードから読み取られた画像データ１００ｃや、ＣＰＵ１７により直接作成された画像データなどの例が挙げられる。
投影画像メモリ１５は、投影画像回転処理部８に送出する投影画像データ１００Ａを記憶するためのメモリである。投影画像メモリ１５はバス２９と接続され、ＣＰＵ１７が必要に応じて投影画像データ１００Ａを読み取ることができるようになっている。
投影画像メモリ１５は、専用の独立メモリで構成してもよいし、ＲＡＭ１９上に確保されたメモリ領域を用いてもよい。
【００３８】
モニタ画像メモリ１６は、モニタ表示画像２５として表示するモニタ画像データ１０１Ａをビットマップデータとして記憶するメモリであり、図３のモニタ画像生成部１２を構成するものである。
モニタ画像メモリ１６は、専用の独立メモリで構成してもよいし、ＲＡＭ１９上に確保されたメモリ領域を用いてもよい。
モニタ画像データ１０１Ａとしては、例えば、ＲＯＭ１８に予め記憶された文字・記号などのキャラクタデータ、アイコン・図形などの画像データ、タッチパネル部３ａの操作入力用のシンボルの画像を挙げることができる。
また、ＣＰＵ１７により適宜生成された文字・画像情報をビットマップに展開したもの、複数画像を一覧表示したサムネイル形式の画像データ、または、ＣＰＵ１７により読み取られた投影画像データ１００Ａをモニタ３の画素構成に合わせたものなどを挙げることができる。
ＣＰＵ１７により生成された文字・画像情報には、タッチパネル部３ａや操作パネル２１を介して入力された操作入力信号１０３を視覚情報に変換したもの、例えば、画像２４の色調、コントラスト、外部入力ビデオ信号の信号種類、画像２４の歪み補正値などの様々な設定情報が含まれる。
【００３９】
次に、本実施形態のプロジェクタ１の動作について、画像の表示方向制御を中心に説明する。
図６は、本発明の実施形態に係る表示装置の動作を説明するためのフローチャートである。図７〜１０は、本発明の実施形態に係る表示装置の配置状態と、投影表示デバイスに表示する画像およびモニタデバイスに表示する視覚情報の表示方向との対応を示す模式説明図である。図７〜１０はいずれも、添字（ａ）の図は、表示装置の配置姿勢を示し、添字（ｂ）、（ｃ）の図は、添字（ａ）の図に対応する投影表示デバイスの画像の表示方向、モニタデバイスの視覚情報の表示方向を示す。
【００４０】
ステップＳ１では、電源を投入し、初期設定を行う。初期設定では、少なくともタッチパネル部３ａまたは操作パネル２１から、投影画像切替部１３を通過させてＤＭＤ７ａに表示する画像データの種類を選択する操作入力を行う。例えば、外部信号入力部１４から入力される圧縮された画像データ１００ａを選択する操作入力を行う。
それにより選択操作に応じた操作入力信号１０３がＣＰＵ１７に送出され、ＣＰＵ１７は画像データ１００ａを選択する画像切替信号１０６を投影画像切替部１３に送出する。
【００４１】
ステップＳ２では、操作入力を待つ待機状態に入る。すなわち、タッチパネル部３ａまたは操作パネル２１からの操作入力待ちの状態となる。
操作入力が発生すると、ステップＳ３に移行する。
操作入力が発生しない場合、ステップＳ５に移行する。
【００４２】
ステップＳ３では、操作入力が電源を切断する電源ボタン操作かどうか判定し、そのような電源ボタン操作であれば、ステップＳ９に移行する。
電源ボタン操作以外であれば、ステップＳ４を実行する。
ステップＳ４では、ステップＳ２で入力された操作入力にしたがった各種の設定を行う。例えば、投影光の光量調整の操作入力があれば、その入力値に応じて光源７ｂの光量の設定を行う。設定が終了するとステップＳ２に移行する。
【００４３】
ステップＳ９では、電源を切断する前に必要な終了設定、例えば、外部信号入力部１４に接続された外部機器に対して入力終了を通知したり、必要に応じて光源７ｂを冷却する冷却ファン運転を行ったりといった終了処理の設定などを行う。
【００４４】
ステップＳ５では、方向検出センサ５によりプロジェクタ１の載置面２２ａに対する方向が検出される。すなわち、検出信号１０２が出力され、ＣＰＵ１７により検出信号１０２に応じて載置面２２ａに対向する筐体面が特定される。
【００４５】
次に、ステップＳ６では、投影画像回転処理部８、モニタ画像回転処理部１０により、それぞれデバイス表示画像２８、モニタ表示画像２５の表示方向を連動して制御する。
この連動制御を行うために、表示方向連動条件を記述した連動制御テーブル（表データ）がＲＡＭ１９にロードされている。
連動制御テーブルは、方向検出センサ５のすべての検出結果に応じて、デバイス表示画像２８、モニタ表示画像２５の表示方向を対応させたデータであり、例えば検出結果と画像回転角とが対応づけられた表で表されるデータである。
連動制御テーブルの一例について表１を参照して説明する。
【００４６】
【表１】
2006267181.tif 000003
【００４７】
表１の例は、プロジェクタ１が載置面２２ａに種々の状態で配置された場合に、画像２４を正規の表示方向の画像として投影するとともにモニタ３のモニタ表示画像２５が操作者２７に見やすい方向に表示されるようにしたものである。
方向検出結果の列は、重力方向に向いているため載置面２２ａと対向していると判定された筐体面の名前を表す。
デバイス表示画像回転角θＤ、モニタ表示画像回転角θＭは、それぞれｘ１ｙ１直角座標系、ｘ２ｙ２直角座標系において、図示反時計回りに測った角度である。ここでθＤ＝θＭ＝０度は、方向性を有する投影画像データ１００Ａ、モニタ画像データ１０１Ａの表示方向を変えないことを意味する。
【００４８】
例えば、図７（ａ）に示す例は、表１で方向検出結果が底面４ｃ（上面４ａの反対側）の場合である。このとき、θＤ＝θＭ＝０度とする。
このため、デバイス表示画像２８は、図７（ｂ）に示すように、上方向がｙ１軸の正方向に一致するように表示され、図５（ｂ）と同じになるので、画像２４は図１のように正規の表示方向に投影される。
また、モニタ表示画像２５は、図７（ｃ）に示すように、上方向がｙ２軸の正方向に一致するように表示されるので、操作者がプロジェクタ１の後面４ｆ側、すなわち投影方向（Ｙ軸正方向）と反対方向に位置するとき最も自然に見えるように表示される。
そのため、操作者がそのような位置に座るような場合に操作性が向上される。
【００４９】
また、図８（ａ）に示す例は、表１で方向検出結果が右面４ｄ（左面４ｂの反対側）の場合である。すなわち、重力方向がＸ軸負方向になっている場合である。このとき、θＤ＝θＭ＝２７０度とする。
θＤ＝２７０度に対応した制御信号１０４が投影画像回転処理部８に送出されると、投影画像データ１００Ａは左右方向に画像の欠落が生じないように縮小されるともに２７０度回転される。
このため、デバイス表示画像２８は、図８（ｂ）に示すように、画像上の上方向がｘ１軸の正方向に一致するように表示され、画像２４が図１のように正規の表示方向に投影される。
【００５０】
また、θＭ＝２７０度に対応した制御信号１０５がモニタ画像回転処理部１０に送出されると、モニタ画像データ１０１Ａは左右方向に画像の欠落が生じないように縮小されるともに、２７０度回転される。
このため、モニタ表示画像２５は、図８（ｃ）に示すように、上方向がｘ２軸の正方向に一致するように表示されるので、図８（ａ）に示すようにモニタ表示画像２５の上方向がＸ軸正方向と一致するように表示される。すなわちプロジェクタ１の載置方向を変えてもモニタ表示画像２５が、操作者に読みやすい方向に表示され、操作性が向上される。
【００５１】
また、図９（ａ）に示す例は、表１で方向検出結果が左面４ｂ（右面４ｄの反対側）の場合である。すなわち、重力方向がＸ軸正方向になっている場合である。このとき、θＤ＝θＭ＝９０度とする。
この場合、図８の場合と回転角が異なるのみで同様な作用効果を有する。
【００５２】
また、図１０（ａ）に示す例は、表１で方向検出結果が前面４ｅの場合である。すなわち重力方向がＹ軸負方向になっている場合である。このとき、θＤ＝θＭ＝１８０度とする。
この場合、前面４ｅは投影レンズ２があるため載置面２２ａに載置することができないので、図示のように中空に支持され、鉛直下方の水平面上に配置されたスクリーン２３に投影する使い方と見なすことができる。そして、操作者がモニタ表示画像２５を見ながら画像２４を見る場合に画像の表示方向を最適化する。
すなわち、デバイス表示画像２８は、図１０（ｂ）に示すように、上方向がｙ１軸の負方向に一致するように表示される。そのため、画像２４は、Ｚ軸正方向側にいる操作者から見て画像の上方向がＺ軸負方向になるような正規の表示方向に投影される。
また、モニタ表示画像２５は、図１０（ｃ）に示すように、上方向がｙ２軸の負方向に一致するように表示されるので、図１０（ａ）に示すように、上方向がＹ軸負方向に一致して、操作者にとって見やすい方向に表示され、操作性が向上される。
なお、この場合、回転角が１８０度のため画像が欠落することがないから画像の縮小は行われない。
【００５３】
また表１に示すように、方向検出結果が上面４ａである場合は、モニタ３が載置面２２ａに対向することになるので、投影を目的でないと判定して画像を非表示にできるようにする。そのため、制御信号１０４、１０５として回転動作を行わない信号を送出するとともに、例えばＲＡＭ１９上に確保されている画像非表示用フラグを立てる。
これは、投影目的にない状態での投影を中止することにより、誤って人のいる方に投影されて目をくらませたりしないといった安全対策のためである。また、想定されていない方向に載置されることで排熱が不十分となり装置内に熱がこもるのを回避する意味もある。
【００５４】
また方向検出結果が後面４ｆである場合は、図１０の場合とは逆に天井面などに投影する場合と見なし、θＤ＝θＭ＝０度とする。
このように連動制御テーブルには、すべての検出結果に対応して表示方向の制御が記述されているので、ステップＳ６を実行すると、デバイス表示画像２８、モニタ表示画像２５の表示方向がいずれかに設定される。
【００５５】
次に、ステップＳ７では、ＣＰＵ１７が、例えば画像非表示用フラグが立っているかどうかをチェックして、画像非表示とすべきかどうかを判定する。
画像非表示と判定された場合、ステップＳ８に移行する。
画像非表示としないと判定された場合、ステップＳ２に戻って上記の工程を繰り返す。
【００５６】
ステップＳ８では、ＣＰＵ１７が、ＲＯＭ１８より警告用画像を読み出し、投影画像メモリ１５に送出し、投影表示部７に、例えば５秒間だけ表示する。警告用画像の表示終了後、ステップＳ９に移行する。
警告用画像としては、例えば、「配置位置が不適切です」といった警告の文章でもよいし、配置位置に異常が生じていることを伝える画像やシンボルであってもよい。
【００５７】
このように、本実施形態のプロジェクタ１によれば、方向検出センサ５により装置本体の設置状態を検出し、その状態に応じて画像２４が正規の表示方向の画像としてスクリーン２３に投影できるようにデバイス表示画像２８の表示方向を変えることができるとともに、装置本体の設置状態に応じて操作者が見やすくなるようにモニタ表示画像２５の表示方向を変えることができるので操作性を向上することができる。
【００５８】
次に、本実施形態の変形例について説明する。
図１１は、本発明の実施形態の変形例の表示装置について説明するための斜視説明図である。
本変形例のプロジェクタ２００（表示装置）は、載置面に載置して用いる場合の他の検出手段を備えた例であり、上記実施形態のプロジェクタ１の方向検出センサ５に代えて、複数の方向検出センサ５０を備えたものである。
以下、上記実施形態と異なる点を中心に説明する。
【００５９】
方向検出センサ５０は、検出信号１０２として近接物体があるかないかを出力することにより、載置面２２ａが対向位置に近接しているかどうか検出するためのセンサであり、筐体４の各筐体面に設けられる。例えば、ＬＥＤ素子などの発光素子と受光素子との組合せにより所定距離内に近接した物体を検知する光センサや、赤外線送受信機を備えた赤外線センサなどを採用することができる。
方向検出センサ５０の所定の検出距離は、実際の載置面２２ａの距離よりもわずかに長い距離とされる。
【００６０】
これら方向検出センサ５０によれば、それぞれの検出結果を組み合わせることにより、載置面２２ａに対向する筐体面を直接的に検出することができる。
表２に、検出出力と方向検出結果との関係を示した。表２において、丸印は近接物体の検知状態を意味し、×印は近接物体の非検知状態を意味する。
【００６１】
【表２】
2006267181.tif 000004
【００６２】
このように、特定の筐体面に設けられた方向検出センサ５０が近接物体を検出し、その他の方向検出センサ５０が非検知状態である場合に、特定の筐体面を載置面２２ａに対向する面と判定し、その筐体面を方向検出結果として連係制御部９に送出する。
この判定は、各検出出力をＣＰＵ１７により比較判定してもよいし、ハードウェアで行ってもよい。
なお、表２には示していないが、複数の方向検出センサ５０が検知状態を示す場合は、載置面が不明となるため、ＲＡＭ１９上の画像非表示用フラグを立てるものとする。
【００６３】
本変形例によれば、光センサにより検出手段を構成することができるので安価な装置とすることができる。
【００６４】
なお、上記の説明では、方向検出結果と、デバイス表示画像回転角θＤおよびモニタ表示画像回転角θＭとの関係を示す連動制御テーブルを表１の例で説明したが、必要に応じて連動制御の組合せを変えてもよい。
例えば、モニタ表示画像２５は、操作者２７の位置により見やすい方向が変るので、操作者２７の位置に応じて表示方向を変えてもよい。例えば、図１のように、操作者２７がモニタ３のＸ軸正方向に着席している場合は、方向検出結果が底面４ｃのときに、θＤ＝０度、θＭ＝９０度とすることが好ましい（図５（ｂ）、（ｃ）参照）。
また、同様に、操作者２７がモニタ３のＸ軸負方向に着席している場合は、図１２に示すように、方向検出結果が底面４ｃのときに、θＤ＝０度、θＭ＝９０度とすることが好ましい。
【００６５】
また、このような複数の連動制御テーブルをＲＯＭ１８に記憶しておき、使用モード選択手段として、タッチパネル部３ａもしくは操作パネル２１に、操作者２７が選択可能な選択ボタンを設け、選択ボタンを操作することにより１つの連動制御テーブルを選択できるようにすることが好ましい。
また使用モード選択手段は、連動制御テーブルの種類に応じた使用モードをメニュー形式で選択するようにしてもよい。
【００６６】
また、上記のような操作者２７の位置により表示方向を変える場合には、使用モードの選択の代わりに、操作者２７の位置を知らせる操作入力を行うと自動的に適切な連動制御テーブルがロードされるようにするとより好ましい。
例えば、図１３に示すように、タッチパネル部３ａの適宜位置、例えば隅部に、表示方向を指定する表示方向ボタン３５ａ、３５ｂ、３５ｃ、３５ｄを設け、矩形の右隅のボタンがモニタ表示画像２５の表示方向を決めるようにしておく。例えば、Ｙ軸負方向に操作者２７がいる場合には、表示方向ボタン３５ａを押すことにより図示の方向にモニタ表示画像２５を表示できるようにするとよい。
また、各筐体面に人体を検知する、例えば赤外線センサなどを設けておき、操作者２７の位置を検知して自動的に適切な連動制御テーブルと選択するようにすると、メニューを選択したりボタンを押す手間が省けたりするのできわめて好都合である。
【００６７】
また、操作者２７の位置を自動検出する方法としては、操作者２７が行う操作を検知する方法が挙げられる。例えば、投影レンズ２の近傍に超音波送受信機からなるセンサを設け、投影レンズ２のピント操作を行う操作者２７の手の位置を検出し、投影レンズ２の光軸方向に直交する方向における手の位置から、操作者２７の位置を検出することができる。
【００６８】
また、上記の説明では、複数の表示方向連動条件やモニタ画像データ１０１ＡなどをＲＯＭ１８に記憶する例で説明したが、これらの記憶手段はＲＯＭに限定されるものではない。他の記憶手段として、例えば、ハードディスクドライブ、メモリカードなどのリムーバルメディアなどを挙げることができる。
【００６９】
また、上記の説明では、モニタ表示画像２５を操作者２７が見やすいように表示する例で説明したが、図１に示すように、投影画像を観察する観察者２６と操作者２７とがプロジェクタ１の近傍にいる場合には、モニタ表示画像２５を観察者２６に容易に読み取られないように表示したり、逆に観察者２６が見やすい方向に切り替えたりできるようにすると好都合である。
この場合でも、例えば図１３のような表示方向ボタン３５ａ、３５ｂ、３５ｃ、３５ｄにより表示方向を手動入力することが有効である。
また、この場合には、操作者２７と観察者２６との位置を自動検出することで上記と同様に制御できる。操作者２７と観察者２６との位置を検出する手段としては、例えば、画像２４を観察者２６の近くに投影するために、投影レンズ２に投影方向のシフト移動機構が設けられている場合に、投影方向のシフト方向を検出して観察者２６の方向と見なす、といった手段を挙げることができる。
【００７０】
また、上記の説明では、デバイス表示画像２８、モニタ表示画像２５の表示方向の回転角が９０度の倍数である例で説明したが、そのような角度に限定されるものではない。
例えば、重力方向を検出する方向検出センサ５によれば、筐体面の水平面に対する傾斜角度を検出できるので、その傾斜角度に応じた回転角度としてもよい。
このようにすれば、載置面２２ａの傾斜などの影響で、画像２４がスクリーン２３上で傾いて投影される場合でも、方向検出センサ５の検出出力によりデバイス表示画像２８の表示方向を回転し、載置面２２ａの傾斜を補正することができる。そのため、載置面２２ａが傾斜していても、画像２４を正規に表示方向に投影することができるという利点がある。
【００７１】
また、上記の説明では、デバイス表示画像２８、モニタ表示画像２５の表示方向を回転させる制御の例で説明したが、必要に応じて他の制御を行ってもよい。例えば、画像のシフト移動やミラーリングなどであってもよい。
【００７２】
また、上記の実施形態の変形例の説明では、６面の筐体面すべてに方向検出センサ５０を設けた例で説明したが、載置困難な筐体面あるいは載置を推奨しない筐体面には方向検出センサ５０を設けなくてもよい。そうすれば、方向検出センサ５０の設置数を減らすことができるので、低コストな装置とすることができる。
【００７３】
また、上記の説明では、モニタ３としてタッチパネル部３ａを備えた例で説明したが、操作パネル２１から操作入力可能であれば、タッチパネル部３ａを備えていなくてもよい。
【図面の簡単な説明】
【００７４】
【図１】本発明の実施形態に係る表示装置の使用状態の一例について説明するための模式的な斜視説明図である。
【図２】本発明の実施形態に係る表示装置の概略構成について説明するための斜視説明図である。
【図３】本発明の実施形態に係る表示装置の概略構成について説明するための機能ブロック図である。
【図４】本発明の実施形態に係る表示装置に用いる表示制御手段について説明するための機能ブロック図である。
【図５】本発明の実施形態に係る表示装置の載置状態の一例について説明するための平面説明図および投影表示デバイスの画像の表示方向、モニタデバイスの視覚情報の表示方向について説明するための模式説明図である。
【図６】本発明の実施形態に係る表示装置の動作を説明するためのフローチャートである。
【図７】本発明の実施形態に係る表示装置の第１の配置状態と、投影表示デバイスに表示する画像およびモニタデバイスに表示する視覚情報の表示方向との対応を示す模式説明図である。
【図８】同じく第２の配置状態に関する模式説明図である。
【図９】同じく第３の配置状態に関する模式説明図である。
【図１０】同じく第４の配置状態に関する模式説明図である。
【図１１】本発明の実施形態の変形例の表示装置について説明するための斜視説明図である。
【図１２】本発明の実施形態に係る表示装置の第１の配置状態と、投影表示デバイスに表示する画像およびモニタデバイスに表示する視覚情報の表示方向との他の対応を示す模式説明図である。
【図１３】本発明の実施形態に係る表示装置に用いるモニタデバイスに表示方向ボタンを設けた例について説明するための模式説明図である。
【符号の説明】
【００７５】
１、２００  プロジェクタ（表示装置）
２  投影レンズ（投影光学手段）
３  モニタ（モニタデバイス）
３ａ  タッチパネル部
３ｂ  モニタ表示部
４  筐体
４ａ  上面（筐体面）
４ｂ  左面（筐体面）
４ｃ  底面（筐体面）
４ｄ  右面（筐体面）
４ｅ  前面（筐体面）
４ｆ  後面（筐体面）
５、５０  方向検出センサ（検出手段）
６  表示制御手段
７  投影表示部
７ａ  ＤＭＤ（投影表示デバイス）
８  投影画像回転処理部
９  連係制御部
１０  モニタ画像回転処理部
１１  投影画像生成部
１２  モニタ画像生成部
１５  投影画像メモリ（画像情報記憶手段）
１６  モニタ画像メモリ（視覚情報記憶手段）
１７  ＣＰＵ
１８  ＲＯＭ（連動条件記憶手段）
１９  ＲＡＭ
２０  メモリカード読取部
２１操作パネル
２２ａ  載置面
２３  スクリーン
２４  画像
２５  モニタ表示画像（視覚情報）
２６  観察者
２７  操作者
２８  デバイス表示画像
３５  表示方向ボタン
１００ａ、１００ｂ、１００ｃ  画像データ（画像情報）
１００Ａ  投影画像データ（画像情報）
【図１】
2006267181.tif 000005
【図２】
2006267181.tif 000006
【図３】
2006267181.tif 000007
【図４】
2006267181.tif 000008
【図５】
2006267181.tif 000009
【図６】
2006267181.tif 000010
【図７】
2006267181.tif 000011
【図８】
2006267181.tif 000012
【図９】
2006267181.tif 000013
【図１０】
2006267181.tif 000014
【図１１】
2006267181.tif 000015
【図１２】
2006267181.tif 000016
【図１３】
2006267181.tif 000017